(57)【要約】      （修正有）【課題】部品をできるだけ左右兼用としてコストダウンを図った引き戸の開き装置を提供する。【解決手段】方形状の枠体内に走行自在に納められる障子の戸先框に固定された台座１９と、台座１９に対し回動自在に取付けられる把手１２と、把手１２の回動と連動して台座１９から突出し枠体に対し当接する蹴り出し部１３と、台座１９から突出自在で枠体に対し係合する補助錠１４とを有し、台座１９は蹴り出し部１３及び補助錠１４を納めると共に把手１２を支持する箱状の本体部１１と、本体部１１の底面を構成し戸先框に対して固定される底面部とからなり、本体部１１は天面の略中央部に把手１２の支持部を有すると共に、側面の上下略対称位置にそれぞれ略同形状の開口部を有して蹴り出し部１３及び補助錠１４をそれぞれ突出自在としてなる。【選択図】図８
2006241748.tif 000002
【特許請求の範囲】
【請求項１】
方形状の枠体内に走行自在に納められる障子の戸先框に固定された台座と、該台座に対し回動自在に取付けられる把手と、該把手の回動と連動して上記台座から突出し上記枠体に対し当接する蹴り出し部と、上記台座から突出自在で上記枠体に対し係合する補助錠とを有した引き戸の開き装置において、
上記台座は上記蹴り出し部及び補助錠を納めると共に上記把手を支持する箱状の本体部と、該本体部の底面を構成し上記戸先框に対して固定される底面部とからなり、上記本体部は天面の略中央部に上記把手の支持部を有すると共に、側面の上下略対称位置にそれぞれ略同形状の開口部を有して上記蹴り出し部及び補助錠をそれぞれ突出自在としてなることを特徴とする引き戸の開き装置。
【請求項２】
上記本体部には上記補助錠を連動させて駆動する操作部を摺動自在に設け、上記本体部は天面の上下略対称位置にそれぞれ略同形状の長孔を有すると共に、該長孔のうち一方により上記操作部を摺動自在とすることを特徴とする請求項１記載の引き戸の開き装置。
【請求項３】
上記操作部は上記補助錠を本体部から突出させた状態で上記把手と係合して回動を規制するロック部を有してなることを特徴とする請求項２記載の引き戸の開き装置。
【請求項４】
上記操作部は上記本体部内部に設けられる操作板を介して上記補助錠を連動させ、上記把手は上記本体部内部に設けられる連係回動部を連動させて上記蹴り出し部を駆動し、上記操作板と連係回動部は上記補助錠を本体部から突出させた状態で互いに当接し上記把手の回動を規制する当接部と被当接部をそれぞれ有してなることを特徴とする請求項２記載の引き戸の開き装置。
【請求項５】
上記蹴り出し部は上記本体部の内部で上記把手と連係するアーム部と、該アーム部の先端に設けられて上記本体部から突出自在なハンマー部とからなり、上記アーム部は上記把手の支持部より下方で軸受けされてなることを特徴とする請求項１〜４のいずれか１項に記載の引き戸の開き装置。
【請求項６】
上記補助錠は上記本体部内部に固定された回動軸を中心に回動して上記本体部から突出自在とされ、上記アーム部は上記回動軸で軸受けされてなることを特徴とする請求項５記載の引き戸の開き装置。
【発明の詳細な説明】
【技術分野】
【０００１】
本発明は、引き戸の縦框に設けられ手をかけて操作する引き戸の開き装置に関し、特に手をかけるハンドルと連動して縦枠を押圧する蹴り出し部と、引き戸を閉じた状態で縦枠に対しロックされる補助錠とを備えた引き戸の開き装置に関する。
【背景技術】
【０００２】
建物開口部に方形状の枠体を設け、その内部に引き戸を走行自在に納めたサッシが広く用いられている。引き戸を納めたサッシにおいては、引き戸が閉じた状態の気密性を高めるために、枠体と引き戸の間にビードやモヘアなどの気密材を介在させている。このため、引き戸を開く際には気密材との摩擦による抵抗が生じ、大きな力が必要とされる。しかも、近年では省エネルギーの観点から断熱サッシが主流となりつつあり、この場合には引き戸に複層ガラスが取付けられ、また框も二重構造となっていることから引き戸の重量が大きく、さらに大きな力が必要とされている。
【０００３】
引き戸を開く際には、特に開き始め、すなわち初動時に最も大きな力が必要とされる。そこで、初動時における力を軽減できる開き装置が知られている。これは引き戸の戸先框に設けられて、手をかけて操作できる把手と、その回動に連動して枠体を押圧する蹴り出し部とを有しているものである。このような開き装置としては、例えば特許文献１に挙げるようなものがある。また、特許文献２に挙げるように開き装置に枠体に対する錠を設けたものも知られている。
【特許文献１】特開２００３−１３６３４号公報
【特許文献２】特開２００４−３５３３７８号公報
【発明の開示】
【発明が解決しようとする課題】
【０００４】
しかし、引き戸が引き違い状に設けられ、そのいずれにも開き装置を設ける場合には、左右それぞれ勝手違いの開き装置を用意する必要がある。左右それぞれについて部品を全て別々に製造すると、コストが高くなる。
【０００５】
本発明は、上記課題を解決すべくなされたものであり、部品をできるだけ左右兼用としてコストダウンを図った引き戸の開き装置を提供することを目的とする。
【課題を解決するための手段】
【０００６】
上記課題を解決するため、本発明に係る引き戸の開き装置は、方形状の枠体内に走行自在に納められる障子の戸先框に固定された台座と、該台座に対し回動自在に取付けられる把手と、該把手の回動と連動して上記台座から突出し上記枠体に対し当接する蹴り出し部と、上記台座から突出自在で上記枠体に対し係合する補助錠とを有した引き戸の開き装置において、
上記台座は上記蹴り出し部及び補助錠を納めると共に上記把手を支持する箱状の本体部と、該本体部の底面を構成し上記戸先框に対して固定される底面部とからなり、上記本体部は天面の略中央部に上記把手の支持部を有すると共に、側面の上下略対称位置にそれぞれ略同形状の開口部を有して上記蹴り出し部及び補助錠をそれぞれ突出自在としてなることを特徴として構成されている。
【０００７】
また、本発明に係る引き戸の開き装置は、上記本体部には上記補助錠を連動させて駆動する操作部を摺動自在に設け、上記本体部は天面の上下略対称位置にそれぞれ略同形状の長孔を有すると共に、該長孔のうち一方により上記操作部を摺動自在とすることを特徴として構成されている。
【０００８】
さらに、本発明に係る引き戸の開き装置は、上記操作部は上記補助錠を本体部から突出させた状態で上記把手と係合して回動を規制するロック部を有してなることを特徴として構成されている。
【０００９】
さらにまた、本発明に係る引き戸の開き装置は、上記操作部は上記本体部内部に設けられる操作板を介して上記補助錠を連動させ、上記把手は上記本体部内部に設けられる連係回動部を連動させて上記蹴り出し部を駆動し、上記操作板と連係回動部は上記補助錠を本体部から突出させた状態で互いに当接し上記把手の回動を規制する当接部と被当接部をそれぞれ有してなることを特徴として構成されている。
【００１０】
そして、本発明に係る引き戸の開き装置は、上記蹴り出し部は上記本体部の内部で上記把手と連係するアーム部と、該アーム部の先端に設けられて上記本体部から突出自在なハンマー部とからなり、上記アーム部は上記把手の支持部より下方で軸受けされてなることを特徴として構成されている。
【００１１】
また、本発明に係る引き戸の開き装置は、上記補助錠は上記本体部内部に固定された回動軸を中心に回動して上記本体部から突出自在とされ、上記アーム部は上記回動軸で軸受けされてなることを特徴として構成されている。
【発明の効果】
【００１２】
本発明に係る引き戸の開き装置によれば、本体部は天面の略中央部に把手の支持部を有し、側面の上下略対称位置にそれぞれ略同形状の開口部を有して蹴り出し部及び補助錠をそれぞれ突出自在としてなることにより、本体部を左右勝手違いの開き装置のいずれにも用いることができるので、部品の共用化によるコストダウンを図ることができる。
【００１３】
また、本発明に係る引き戸の開き装置によれば、本体部は天面の上下略対称位置にそれぞれ略同形状の長孔を有し、長孔のうち一方により操作部を摺動自在とすることにより、操作部を左右勝手違いの開き装置のいずれにも同じ位置に設けることができ、さらに部品の共用化を図ってコストダウンを図ることができる。
【００１４】
さらに、本発明に係る引き戸の開き装置によれば、操作部は補助錠を本体部から突出させた状態で把手と係合して回動を規制するロック部を有してなることにより、補助錠を施錠状態としたときに把手の回動を規制でき、施錠状態で把手を操作した場合において補助錠と連係する枠体の破損を防ぐことができる。
【００１５】
さらにまた、本発明に係る引き戸の開き装置によれば、操作板と連係回動部は補助錠を本体部から突出させた状態で互いに当接し把手の回動を規制する当接部と被当接部をそれぞれ有してなることにより、補助錠を施錠状態としたときに把手の回動を規制でき、施錠状態で把手を操作した場合において補助錠と連係する枠体の破損を防ぐことができる。
【００１６】
そして、本発明に係る引き戸の開き装置によれば、蹴り出し部のアーム部は把手の支持部より下方で軸受けされてなることにより、アーム部の回転半径を大きくすることができるので、把手の小さな動きでハンマー部を大きく本体部から突出させることができて、障子の操作力をより軽減することができる。
【００１７】
また、本発明に係る引き戸の開き装置によれば、蹴り出し部のアーム部は補助錠の回動軸で軸受けされてなることにより、軸を共用化して本体部をコンパクト化することができる。
【発明を実施するための最良の形態】
【００１８】
本発明の実施形態について、図面に沿って詳細に説明する。図１は本実施形態における引き戸の開き装置を設けたサッシの正面図、図２は図１のサッシの横断面図である。図１に示すサッシは、建物開口部に方形状の枠体１を設け、その内部に引き違い状の２枚の障子２、２を走行自在に納めてなるものである。障子２は、上下框及び左右の縦框を方形状に框組みし、内部にガラス体３を納めてなるものである。
【００１９】
左右の縦框のうち、障子２を閉じた状態の枠体１側には戸先框４が配置され、この戸先框４に障子２を開く力を軽減する開き装置１０が設けられている。枠体１内に納められる２枚の障子２、２の各戸先框４、４には、それぞれ開き装置１０、１０が設けられているので、サッシの左右両端部近傍にそれぞれ左右勝手違いの開き装置１０、１０が設けられていることになる。
【００２０】
図２に示すように、開き装置１０は、戸先框４の室内面に固定されている。開き装置１０は、戸先框４に固定される箱状の台座１９と、台座１９に対し回動自在に支持される把手部１２とからなっている。台座１９は、箱状の本体部１１と、本体部１１の底面を構成する底面部１６とからなっており、本体部１１には、その側面から突出自在で障子２を開く際には枠体１を構成する縦枠２０を押圧する蹴り出し部１３と、障子２を閉じた状態で本体部１１から突出し縦枠２０に連係して施錠する補助錠１４とを納めている。
【００２１】
縦枠２０は、室外側を構成する金属縦枠２１と、その室内露出面を覆う樹脂縦枠２２とから構成されている。さらに、樹脂縦枠２２の室内側には額縁材２５が設けられている。樹脂縦枠２２には、断面略コ字状の受金具２３が取付けられて、開き装置１０の本体部１１から突出する補助錠１４と係合する。受金具２３は、縦枠２０または額縁材２５に対してネジ止めされる。また、受金具２３は、縦枠２０の形状によっては平板状の板材を介して縦枠２０または額縁材２５に固定するようにしてもよい。さらに、受金具２３の断面略コ字状部分の両端部から略鉛直に延出する平面部を設け、この平面部を縦枠２０または額縁材２５に対し固定するようにしてもよい。
【００２２】
図３には、開き装置１０の正面図を示している。この図に示すように、本体部１１は、上下方向に長い直方体形状に形成されている。また、把手部１２は、本体部１１の天面１１ａの上下方向略中央部で回動自在に支持されている。さらに、本体部１１の天面１１ａには、把手部１２の支持部１１ｃより下方に長孔１８が形成されており、この長孔１８を介して補助錠１４を操作する操作部１５がスライド自在に設けられている。また、長孔１８は天面１１ａの上下方向略対称位置にも設けられており、上側の長孔１８は、塞がれた状態とされている。
【００２３】
図３に示すように、開き装置１０の把手部１２を操作していない状態において、蹴り出し部１３は本体部１１の側面１１ｂから先端部が突出した状態となっている。障子２を開く方向に把手部１２を操作すると、蹴り出し部１３は枠体１側に突出し、障子２を開くための操作力を軽減する。
【００２４】
図４には、台座１９の構成を示す分解側面図を示している。上述のように、台座１９は箱状の本体部１１と、本体部１１の底面を構成する底面部１６とからなっている。本体部１１の側面１１ｂには、上下略対称位置にそれぞれ略同形状となる方形状の開口部１７、１７が形成されている。底面部１６は、略板状に形成されている。また、下側の開口部１７に適合する位置を突出状とし、これを約９０度折り曲げて側面構成部１６ａを形成している。側面構成部１６ａは、底面部１６を本体部１１に取付けた際に、本体部１１に形成された下側の開口部１７の一部を覆い、その開口を幅狭とする。
【００２５】
図５は、開き装置１０の側面図である。この図に示すように、本体部１１の２つの開口部１７、１７のうち、上側の開口部１７からは蹴り出し部１３が突出自在とされている。一方、下側の開口部１７からは、補助錠１４が突出自在とされている。補助錠１４は蹴り出し部１３に比べて厚みが薄く、本体部１１の開口部１７と底面部１６の側面構成部１６ａにより形成された幅狭な開口から突出自在となるようにされている。
【００２６】
底面部１６については、側面構成部１６ａがあるために左右で共用化できないので、左右の各開き装置１０、１０についてそれぞれ別々の部品として形成される。また、把手部１２についても、左右で共用化できないので、それぞれ別々の部品として形成される。しかし、本体部１１については天面１１ａの略中央部に支持部１１ｃが形成され、側面１１ｂの上下略対称位置にそれぞれ略同形状の開口部１７、１７が形成されているので、左右勝手違いの各開き装置１０、１０のいずれにも用いることができ、共用化することができる。また、本体部１１の天面１１ａには、上下略対称位置に操作部１５をスライド自在とする長孔１８、１８が形成されているので、左右の各開き装置１０で操作部１５を同位置に設けることができ、部品の共用化をより図ることができる。
【００２７】
図６は、開き装置１０の把手部１２を操作した状態を示した正面図である。この図に示すように、障子２を開く際に把手部１２を手で持って操作すると、把手部１２はサッシ中央方向に向かって倒れるように回動する。それに伴って本体部１１の側面１１ｂからは蹴り出し部１３が突出し、その先端部が枠体１を押圧し、反力により障子２を開くための特に初動時における操作力を軽減する。
【００２８】
図７は、開き装置１０の補助錠１４を突出させた状態を示した正面図である。この図に示すように、障子２を閉じた状態で本体部１１の天面１１ａに設けられた操作部１５を上方にスライドさせると、本体部１１の側面１１ｂから補助錠１４が突出し、これが枠体１に設けられた受金具２３に係合することで、障子２が開かないようにロックすることができる。
【００２９】
図８及び図９は、本体部１１内部の構造を示した正面図である。図８は、障子２が閉じていて補助錠１４による施錠がなされた状態を示している。図９は、補助錠１４による施錠を解除し、障子２を開けるために把手部１２を手で操作した状態を示している。これら各図では、本体部１１の天面１１ａを除いた状態が示されている。本体部１１の内部には、蹴り出し部１３と補助錠１４が納められている。
【００３０】
蹴り出し部１３は、本体部１１内部で揺動する長板状のアーム部４０と、アーム部４０の先端部に設けられ本体部１１から突出自在なハンマー部４１とからなる。前各図において本体部１１から突出していた部分はハンマー部４１である。また、アーム部４０は、把手部１２を支持する本体部１１の支持部１１ｃよりも下方に設けられた回転軸５２を中心に本体部１１内で回動自在とされている。
【００３１】
把手部１２は、本体部１１内部に設けられる連係回動部３０と回動支点３２を介して連動しており、把手部１２を回動させることで、連係回動部３０もそれに伴って回動する。連係回動部３０には上方に突出する突出部３３と、下方に突出する揺動片３１とが形成されている。突出部３３は本体部１１内の側部に設けられるバネ３４により枠体１側に向かって付勢されている。また、揺動片３１はアーム部４０と連係し、それにより蹴り出し部１３を駆動するようにしている。
【００３２】
アーム部４０の裏面側には、両側部を立ち上げた立ち上げ部４０ａ、４０ａが形成されており、両立ち上げ部４０ａ、４０ａ間に揺動片３１が納められた状態となっている。このため、図８に示すように、把手部１２の回動に伴って揺動片３１が回動すると、アーム部４０は立ち上げ部４０ａを側方に向かって押圧され、これによって回転軸５２を中心として回動する。アーム部４０が回動することにより、アーム部４０の先端に設けられたハンマー部４１は、本体部１１の側面１１ｂに形成された開口部１７から突出し、枠体１を押圧する。
【００３３】
このように、把手部１２及びそれと連動して回動する連係回動部３０を本体部１１の略中央位置に配置しながら、アーム部４０は連係回動部３０より下方の回転軸５２を中心に回動するようにしていることにより、把手部１２の小さな動きによっても蹴り出し部１３を大きく本体部１１から突出させることができるので、小さな動きでも障子２を動かす補助効果を充分に得ることができる。
【００３４】
また、補助錠１４については、操作部１５と連動して上下動する操作板５１と、操作板５１と連係し回転軸５２を中心に回動するカマ部５０とからなり、カマ部５０の先端部は枠体１に設けられる受金具２３と係脱自在となるように略Ｌ字状に形成されていて、本体部１１の側面１１ｂから突出自在とされている。補助錠１４のカマ部５０の回転軸５２は、アーム部４０の回転軸５２と共用しており、本体部１１のコンパクト化を図っている。
【００３５】
操作板５１は上部を底面部１６側に立ち上げられており、この立ち上げ部分は図中略右半分が高くなるように当接部５１ａが形成されている。一方、連係回動部３０の揺動片３１は、下部に切欠部３１ａを有している。操作板５１が上方にスライドして補助錠１４が施錠状態となると、操作板５１の当接部５１ａと揺動片３１の切欠部３１ａは当接した状態となり、揺動片３１は操作板５１の当接部５１ａによって回動を規制される。すなわち、連係回動部３０及びそれと連動する把手部１２も、回動を規制されることになる。したがって、補助錠１４の施錠時には把手部１２の回動が規制され、蹴り出し部１３も突出しないから、補助錠１４のカマ部５０が係合した枠体１の受金具２３に過大な負荷がかかることを防ぐことができる。
【００３６】
補助錠１４を施錠することで把手部１２の回動を規制するための機構としては、上述のものには限られない。例えば、操作部１５の上部にロック部となる係合部を、把手部１２の支持部１１ｃ近傍に被係合部を、それぞれ形成し、操作部１５を上方にスライドさせて補助錠１４を施錠状態にすると、操作部１５の係合部が把手部１２の被係合部に係合し、把手部１２の回動を規制するような機構としてもよい。
【００３７】
以上、本発明の実施形態について説明したが、本発明の適用は本実施形態には限られ
ず、その技術的思想の範囲内において様々に適用されうるものである。
【図面の簡単な説明】
【００３８】
【図１】本実施形態における引き戸の開き装置を設けたサッシの正面図である。
【図２】図１のサッシの横断面図である。
【図３】開き装置の正面図である。
【図４】台座の構成を示す分解側面図である。
【図５】開き装置の側面図である。
【図６】開き装置の把手部を操作した状態を示した正面図である。
【図７】開き装置の補助錠を突出させた状態を示した正面図である。
【図８】障子が閉じていて補助錠による施錠がなされた状態の本体部内部の構造を示した正面図である。
【図９】補助錠による施錠を解除し把手部を手で操作した状態の本体部内部の構造を示した正面図である。
【符号の説明】
【００３９】
１    枠体
２    障子
４    戸先框
１０    開き装置
１１    本体部
１２    把手部
１３    蹴り出し部
１４    補助錠
１５    操作部
１６    底面部
１７    開口部
１９    台座
２０    縦枠
２３    受金具
３０    連係回動部
３１    揺動片
３２    回動支点
４０    アーム部
４１    ハンマー部
５０    カマ部
５１    操作板
５２    回転軸
【図１】
2006241748.tif 000003
【図２】
2006241748.tif 000004
【図３】
2006241748.tif 000005
【図４】
2006241748.tif 000006
【図５】
2006241748.tif 000007
【図６】
2006241748.tif 000008
【図７】
2006241748.tif 000009
【図８】
2006241748.tif 000010
【図９】
2006241748.tif 000011